【手続補正書】
【提出日】令和1年7月23日(2019.7.23)
【手続補正１】
【補正対象書類名】特許請求の範囲
【補正対象項目名】全文
【補正方法】変更
【補正の内容】
【特許請求の範囲】
【請求項１】
各々が複数の光電変換部を含む行列状の複数の単位画素を有する画素領域と、
前記画素領域内の遮光領域の単位画素内の一部の光電変換部の信号を読み出し、前記遮光領域の他の単位画素内のすべての光電変換部の混合信号を読み出し、前記画素領域内の開口領域の単位画素内の一部の光電変換部の信号を読み出し、前記開口領域の他の単位画素内のすべての光電変換部の混合信号を読み出す読み出し制御部と、
前記遮光領域の単位画素のすべての光電変換部の混合信号とクランプレベルとの誤差量に対して第１のフィードバックゲインを乗算した結果を基に、前記開口領域の単位画素のすべての光電変換部の混合信号を補正し、前記遮光領域の単位画素の一部の光電変換部の信号とクランプレベルとの誤差量に対して第２のフィードバックゲインを乗算した結果を基に、前記開口領域の単位画素の一部の光電変換部の信号を補正するクランプ処理部と
を有することを特徴とする撮像装置。
【請求項２】
前記単位画素は、マイクロレンズを備えることを特徴とする請求項１に記載の撮像装置。
【請求項３】
前記第２のフィードバックゲインは、前記第１のフィードバックゲインより大きいことを特徴とする請求項１に記載の撮像装置。
【請求項４】
前記複数の光電変換部は、第１の光電変換部と第２の光電変換部を有し、
前記読み出し制御部は、
前記遮光領域の単位画素内の第１の光電変換部と第２の光電変換部の信号をそれぞれ読み出し、前記遮光領域の他の単位画素内の第１の光電変換部と第２の光電変換部の混合信号を読み出し、
前記開口領域の単位画素内の第１の光電変換部と第２の光電変換部の信号をそれぞれ読み出し、前記開口領域の他の単位画素内の第１の光電変換部と第２の光電変換部の混合信号を読み出し、
前記クランプ処理部は、
前記遮光領域の単位画素の第１の光電変換部と第２の光電変換部の混合信号とクランプレベルとの誤差量に対して第１のフィードバックゲインを乗算した結果を基に、前記開口領域の単位画素の第１の光電変換部と第２の光電変換部の混合信号を補正し、
前記遮光領域の単位画素の第１の光電変換部の信号とクランプレベルとの誤差量に対して第２のフィードバックゲインを乗算した結果を基に、前記開口領域の単位画素の第１の光電変換部の信号を補正し、
前記遮光領域の単位画素の第２の光電変換部の信号とクランプレベルとの誤差量に対して第３のフィードバックゲインを乗算した結果を基に、前記開口領域の単位画素の第２の光電変換部の信号を補正することを特徴とする請求項１に記載の撮像装置。
【請求項５】
前記第２のフィードバックゲインと前記第３のフィードバックゲインは、前記第１のフィードバックゲインより大きいことを特徴とする請求項４に記載の撮像装置。
【請求項６】
前記遮光領域は、
前記開口領域とは異なる行に設けられる第１の遮光領域と、
前記開口領域と同じ行に設けられる第２の遮光領域とを有し、
前記クランプ処理部は、
前記第１の遮光領域の単位画素のすべての光電変換部の混合信号とクランプレベルとの誤差量に対して第１のフィードバックゲインを乗算した結果と前記第２の遮光領域の単位画素のすべての光電変換部の混合信号とクランプレベルとの誤差量に対して第４のフィードバックゲインを乗算した結果とを基に、前記開口領域の単位画素のすべての光電変換部の混合信号を補正し、
前記第１の遮光領域の単位画素の一部の光電変換部の信号とクランプレベルとの誤差量に対して第２のフィードバックゲインを乗算した結果と前記第２の遮光領域の単位画素の一部の光電変換部の信号とクランプレベルとの誤差量に対して第５のフィードバックゲインを乗算した結果とを基に、前記開口領域の単位画素の一部の光電変換部の信号を補正することを特徴とする請求項１に記載の撮像装置。
【請求項７】
前記第１のフィードバックゲインは、前記第４のフィードバックゲインより大きく、前記第２のフィードバックゲインは、前記第５のフィードバックゲインより大きいことを特徴とする請求項６に記載の撮像装置。
【請求項８】
前記遮光領域は、
前記開口領域とは異なる行に設けられる第１の遮光領域と、
前記開口領域と同じ行に設けられる第２の遮光領域とを有し、
前記クランプ処理部は、
前記第１の遮光領域の単位画素の第１の光電変換部と第２の光電変換部の混合信号とクランプレベルとの誤差量に対して第１のフィードバックゲインを乗算した結果と前記第２の遮光領域の単位画素の第１の光電変換部と第２の光電変換部の混合信号とクランプレベルとの誤差量に対して第４のフィードバックゲインを乗算した結果とを基に、前記開口領域の単位画素の第１の光電変換部と第２の光電変換部の混合信号を補正し、
前記第１の遮光領域の単位画素の第１の光電変換部の信号とクランプレベルとの誤差量に対して第２のフィードバックゲインを乗算した結果と前記第２の遮光領域の単位画素の第１の光電変換部の信号とクランプレベルとの誤差量に対して第５のフィードバックゲインを乗算した結果とを基に、前記開口領域の単位画素の第１の光電変換部の信号を補正し、
前記第１の遮光領域の単位画素の第２の光電変換部の信号とクランプレベルとの誤差量に対して第３のフィードバックゲインを乗算した結果と前記第２の遮光領域の単位画素の第２の光電変換部の信号とクランプレベルとの誤差量に対して第６のフィードバックゲインを乗算した結果とを基に、前記開口領域の単位画素の第２の光電変換部の信号を補正することを特徴とする請求項４に記載の撮像装置。
【請求項９】
前記第１のフィードバックゲインは、前記第４のフィードバックゲインより大きく、前記第２のフィードバックゲインは、前記第５のフィードバックゲインより大きく、前記第３のフィードバックゲインは、前記第６のフィードバックゲインより大きいことを特徴とする請求項８に記載の撮像装置。
【請求項１０】
前記第５のフィードバックゲインと前記第６のフィードバックゲインは、前記第４のフィードバックゲインより大きいことを特徴とする請求項８に記載の撮像装置。
【請求項１１】
前記第２のフィードバックゲインと前記第３のフィードバックゲインは、前記第１のフィードバックゲインより大きいことを特徴とする請求項８に記載の撮像装置。
【請求項１２】
前記第１のフィードバックゲインと前記第２のフィードバックゲインと前記第３のフィードバックゲインは、相互に同じであることを特徴とする請求項８に記載の撮像装置。
【請求項１３】
前記画素領域は、前記一部の光電変換部の信号が読み出される行と、前記すべての光電変換部の混合信号が読み出される行との集まりであることを特徴とする請求項１に記載の撮像装置。
【請求項１４】
前記クランプ処理部は、
前記遮光領域の単位画素のすべての光電変換部の混合信号とクランプレベルとの誤差量に対して第１のフィードバックゲインを乗算した結果の積分値を基に、前記開口領域の単位画素のすべての光電変換部の混合信号を補正し、
前記遮光領域の単位画素の一部の光電変換部の信号とクランプレベルとの誤差量に対して第２のフィードバックゲインを乗算した結果の積分値を基に、前記開口領域の単位画素の一部の光電変換部の信号を補正することを特徴とする請求項１に記載の撮像装置。
【請求項１５】
各々が複数の光電変換部を備えた単位画素が行列状に複数配置された画素領域と、
前記画素領域における第１の画素行において各単位画素の複数の光電変換部の混合信号を読み出すように駆動するとともに、前記画素領域における前記第１の画素行と異なる第２の画素行において各単位画素の一部の光電変換部の信号を独立して読み出すように駆動する駆動部と、
前記画素領域における基準画素領域の出力信号に基づいて有効画素領域の出力信号を基準レベルにクランプするクランプ処理部と、
前記クランプ処理部により前記第２の画素行の出力信号を基準レベルにクランプする場合の収束時間と、前記第１の画素行の出力信号を基準レベルにクランプする場合の収束時間とが異なるように制御する制御部と
を有することを特徴とする撮像装置。
【請求項１６】
前記単位画素は、マイクロレンズを備えることを特徴とする請求項１５に記載の撮像装置。
【請求項１７】
前記制御部は、前記クランプ処理部が前記第１の画素行の出力信号を第１のフィードバックゲインで前記基準レベルにクランプし、前記第２の画素行の出力信号を第２のフィードバックゲインで前記基準レベルにクランプするように制御することを特徴とする請求項１５に記載の撮像装置。
【請求項１８】
各々が複数の光電変換部を含む行列状の複数の単位画素を有する画素領域を有する撮像装置の制御方法であって、
読み出し制御部により、前記画素領域内の遮光領域の単位画素内の一部の光電変換部の信号を読み出し、前記遮光領域の他の単位画素内のすべての光電変換部の混合信号を読み出し、前記画素領域内の開口領域の単位画素内の一部の光電変換部の信号を読み出し、前記開口領域の他の単位画素内のすべての光電変換部の混合信号を読み出すステップと、
クランプ処理部により、前記遮光領域の単位画素のすべての光電変換部の混合信号とクランプレベルとの誤差量に対して第１のフィードバックゲインを乗算した結果を基に、前記開口領域の単位画素のすべての光電変換部の混合信号を補正し、前記遮光領域の単位画素の一部の光電変換部の信号とクランプレベルとの誤差量に対して第２のフィードバックゲインを乗算した結果を基に、前記開口領域の単位画素の一部の光電変換部の信号を補正するステップと
を有することを特徴とする撮像装置の制御方法。
【請求項１９】
各々が複数の光電変換部を備えた単位画素が行列状に複数配置された画素領域を有する撮像装置の制御方法であって、
駆動部により、前記画素領域における第１の画素行において各単位画素の複数の光電変換部の混合信号を読み出すように駆動するとともに、前記画素領域における前記第１の画素行と異なる第２の画素行において各単位画素の一部の光電変換部の信号を独立して読み出すように駆動するステップと、
クランプ処理部により、前記画素領域における基準画素領域の出力信号に基づいて有効画素領域の出力信号を基準レベルにクランプするステップと、
制御部により、前記クランプ処理部により前記第２の画素行の出力信号を基準レベルにクランプする場合の収束時間と、前記第１の画素行の出力信号を基準レベルにクランプする場合の収束時間とが異なるように制御するステップと
を有することを特徴とする撮像装置の制御方法。
【手続補正２】
【補正対象書類名】明細書
【補正対象項目名】０００６
【補正方法】変更
【補正の内容】
【０００６】
本発明の撮像装置は、各々が複数の光電変換部を含む行列状の複数の単位画素を有する画素領域と、前記画素領域内の遮光領域の単位画素内の一部の光電変換部の信号を読み出し、前記遮光領域の他の単位画素内のすべての光電変換部の混合信号を読み出し、前記画素領域内の開口領域の単位画素内の一部の光電変換部の信号を読み出し、前記開口領域の他の単位画素内のすべての光電変換部の混合信号を読み出す読み出し制御部と、前記遮光領域の単位画素のすべての光電変換部の混合信号とクランプレベルとの誤差量に対して第１のフィードバックゲインを乗算した結果を基に、前記開口領域の単位画素のすべての光電変換部の混合信号を補正し、前記遮光領域の単位画素の一部の光電変換部の信号とクランプレベルとの誤差量に対して第２のフィードバックゲインを乗算した結果を基に、前記開口領域の単位画素の一部の光電変換部の信号を補正するクランプ処理部とを有する。